(57)【要約】【課題】汚れなどによって２次元コードの一部分が読取り不可能になっても、２次元コードで表された情報を取得できる２次元コード表示物及び２次元コード表示タイヤを提供する。【解決手段】同一の２次元コード22A,22B,22Cがラベル本体21に並べて表示され、これらの２次元コード22A,22B,22Cのそれぞれがその中心を通る軸を回転軸としてそれぞれ９０度回転した位置に設定されている２次元コード表示物である表示ラベル20を構成し、これをタイヤに貼り付けることによってタイヤを２次元コード表示物とする。２次元コード22A,22B,22Cのうちの何れかが汚れなどによってその一部分が読取り不可能になっても、汚れが付着していない部分を読み取ることにより情報を取得することができる。【選択図】図２
2005164655.tif 000002
【特許請求の範囲】
【請求項１】
同一の２次元コードが所定領域内に２つ以上並べて配置され、
これらの２次元コードのうちの少なくとも１つの２次元コードが、２次元コードの中心を通る軸を回転軸として他の２次元コードとは異なる回転角度の位置に設定されている
ことを特徴とする２次元コード表示物。
【請求項２】
各２次元コードが互いに９０度異なる回転角度の位置に設定されている
ことを特徴とする請求項１に記載の２次元コード表示物。
【請求項３】
前記２次元コードは正方形領域内に表示されるマトリックス型のコードである
ことを特徴とする請求項１又は請求項２に記載の２次元コード表示物。
【請求項４】
前記２次元コードがＱＲコードであることを特徴とする請求項３に記載の２次元コード表示物。
【請求項５】
同一の２次元コードが所定領域内に２つ以上並べて配置され、
これらの２次元コードのうちの少なくとも１つの２次元コードが、２次元コードの中心を通る軸を回転軸として他の２次元コードとは異なる回転角度の位置に設定されている
ことを特徴とする２次元コード表示タイヤ。
【請求項６】
各２次元コードが互いに９０度異なる回転角度の位置に設定されている
ことを特徴とする請求項５に記載の２次元コード表示タイヤ。
【請求項７】
前記２次元コードは正方形領域内に表示されるマトリックス型のコードである
ことを特徴とする請求項５又は請求項６に記載の２次元コード表示タイヤ。
【請求項８】
前記２次元コードがＱＲコードであることを特徴とする請求項７に記載の２次元コード表示タイヤ。
【発明の詳細な説明】
【技術分野】
【０００１】
本発明は、２次元コードリーダやスキャナを用いて読み取り可能なスタック型やマトリックス型の２次元コードを用いて情報が表示された２次元コード表示物及び２次元コード表示タイヤに関するものである。
【背景技術】
【０００２】
近年、従来のバーコードに代わって２次元コードが利用されるようになってきた。２次元コードは、従来のバーコードで表せる情報量の数十倍から数百倍の情報量を、一般的なバーコードサイズの１／１０〜１／４５程度の面積で表すことができると共に周知の２次元コードリーダやスキャナによって容易に読み取ることができる。
【０００３】
２次元コードの代表的なものとしては、例えば米国のシンボルテクノロジー社が開発したスタック型のＰＤＦ４１７や、米国のＩＤマトリックス社が開発したマトリックス型のData Matrix(ECC200)、米国のＵＰＳ社が開発したマトリックス型のMaxi Code、米国のベリテックス社が開発したマトリックス型のベリコード、日本のデンソー社が開発したマトリックス型のQR Codeなどが知られている。
【０００４】
この様な２次元コードを用いたものとしては、例えば特開２０００−７５７９４号公報に開示される表示ラベル（従来例１）や、特開平１１−５３４５３号公報に開示される伝票発行システム（従来例２）が知られている。
【０００５】
特開２０００−７５７９４号公報に開示される表示ラベルでは、従来のバーコードに加えて２次元コードを用いて表示情報量の増大を図っている。また、特開平１１−５３４５３号公報に開示される伝票発行システムでは、伝票に２次元コードを印刷することにより、この２次元コードを使って情報管理を迅速に行えるようにしている。
【０００６】
また、２次元コードを適切に印刷する装置の一例が特開２００３−１５４７０９号公報（従来例３）に開示されている。
【特許文献１】特開２０００−７５７９４号公報
【特許文献２】特開平１１−５３４５３号公報
【特許文献３】特開２００３−１５４７０９号公報
【発明の開示】
【発明が解決しようとする課題】
【０００７】
しかしながら、２次元コードは多数の微細なセルからなるため汚れなどが付着するとコードの読み取りが不可能になってしまうという問題点がある。例えば、上記の従来例１では２次元コードが表示された表示ラベルをタイヤに装着する例を開示しているが、製品としてのタイヤを運搬する際に表示ラベルに汚れが付着することは大いに考えられる。
【０００８】
本発明は前記問題点に鑑みてなされたものであり、その目的とするところは、汚れなどによって２次元コードの一部分が読取り不可能になっても、２次元コードで表された情報を取得することができる２次元コード表示物及び２次元コード表示タイヤを提供することにある。
【課題を解決するための手段】
【０００９】
本発明は前記目的を達成するために、同一の２次元コードが所定領域内に２つ以上並べて配置され、これらの２次元コードのうちの少なくとも１つの２次元コードが、２次元コードの中心を通る軸を回転軸として他の２次元コードとは異なる回転角度の位置に設定されている２次元コード表示物及び２次元コード表示タイヤを提案する。
【００１０】
本発明の２次元コード表示物及びタイヤにおいては、同一の２次元コードが２つ以上並べて表示されているので、これらのうちの何れかが汚れなどによってその一部分が読取り不可能になっても、汚れが付着していない２次元コードを読み取ることにより情報を取得することができる。
【００１１】
また、表示されている全ての２次元コードの一端部側に汚れが付着した場合には、各２次元コードのそれぞれがその中心を通る軸を回転軸としてそれぞれ異なる回転角度の位置に設定されているので、各２次元コードにおける汚れの付着した部分が他の２次元コードにおける汚れの付着していない部分となるため、これらの汚れの付着していない部分を読み取ることによって２次元コードが表す情報を取得することができる。
【発明の効果】
【００１２】
本発明の２次元コード表示物によれば、同一の２次元コードが２つ以上並べて配置され、各２次元コードのそれぞれがその中心を通る軸を回転軸としてそれぞれ異なる回転角度の位置に設定されているので、汚れが付着していない２次元コード、或いは各２次元コードにおける汚れの付着していない部分を読み取ることによって、２次元コードが表している情報を取得することができる。
【発明を実施するための最良の形態】
【００１３】
以下、図面に基づいて本発明の一実施形態を説明する。
【００１４】
図１は本発明の第１実施形態における２次元コード表示物であるタイヤを示す破断斜視図、図２は第１実施形態における表示ラベルを示す平面図、図３は第１実施形態における２次元コードを説明する図、図４は第１実施形態における２次元コードの各領域を説明する図である。
【００１５】
本実施形態では、２次元コード表示物である表示ラベルをタイヤに貼り付けて２次元コードをタイヤに表示し、タイヤを２次元コード表示物とした例に関して説明する。
【００１６】
図１において、１０はタイヤで、周知のチューブレスラジアルタイヤである。１１はカーカス、１２Ａ，１２Ｂはベルト、１３はアンダートレッド、１４はキャップトレッド、１５はリム、２０はサイドウォールに固定された表示ラベルである。
【００１７】
このラジアル構造では、カーカス１１は、そのカーカスコードが周方向に対してほぼ９０度に配置され、１層或いは２層のカーカスで作られ、その上に２０〜３０度程度のコード角を有するベルト１２Ａ，１２Ｂが互いにコードが交差するように配置されている。さらに、これらのベルト１２Ａ，１２Ｂの上にアンダートレッド１３、及びキャップトレッド１４が記述の順に配置されている。
【００１８】
タイヤ１０のサイドウォールに固定された表示ラベル２０は、図２に示すように、裏面に接着剤が塗布された略長方形のラベル本体２１の表面に３つの２次元コード２２Ａ，２２Ｂ，２２Ｃが１列に並べて表示されている。ここで用いている２次元コードは周知のマトリックス型のＱＲ（Quick Response）コードであり、タイヤに関する情報、例えば製造年月日や製造場所及びタイヤの種類などの情報をコード化したものである。
【００１９】
また、ラベル本体２１に表示されている３つの２次元コード２２Ａ，２２Ｂ，２２Ｃは同一のものであり、２次元コードの中心に垂直な軸を回転軸として、記述の順に時計回りに９０度ずつ回転位置が異なるように表示されている。即ち、図に向かって左側の２次元コード２２Ａを基準として、中央の２次元コード２２Ｂは時計回りに９０度回転されたものであり、右側の２次元コード２２Ｃは左側の２次元コード２２Ａを基準として時計回りに１８０度回転されたものである。
【００２０】
２次元コード２２（２２Ａ，２２Ｂ，２２Ｃ）は図３及び図４に示すように、ほぼ正方形の領域内をマトリックス状に細分化したセルの集合体からなり、３つの隅に位置検出パターン221,222,223が配置されている。第１の位置検出パターン221と第２の位置検出パターン222との間及び第２の位置検出パターン222と第３の位置検出パターン223との間には黒色セルと白色セルが交互に直線上に並べられてなるタイミングパターン224,225が配置されている。
【００２１】
また、第１の位置検出パターン221に隣り合うように、データ領域231の側にフォーマット情報226が配置されると共にタイミングパターン224の側にバージョン情報227が配置されている。ここで、フォーマット情報226は誤り訂正レベルとマスクパターンの情報を表しており、バージョン情報はバージョン（サイズ）の情報を表している。また、データ領域231に表されているデータは誤り訂正データを含んでいる。
【００２２】
さらに、第２の位置検出パターン222に隣り合うように上記のフォーマット情報228が配置され、第３の位置検出パターン223に隣り合うように、データ領域231の側にフォーマット情報230が配置されると共にタイミングパターン225の側にバージョン情報229が配置されている。
【００２３】
また、セルパターンの外周にはセルの存在領域を識別できるようにマージン余白232が設けられている。
【００２４】
上記の表示ラベル２０は、同じ３つの２次元コード２２Ａ，２２Ｂ，２２Ｃが並べて表示されているので、例えば図５及び図６に示すように１つの２次元コード２２Ａ或いは２つの２次元コード２２Ａ，２２Ｂが汚れ３１に覆われてしまっても、他の２次元コード２２Ｂ，２２Ｃの何れか或いは２次元コード２２Ｃのみを読み取ることによって２次元コードが表す情報を取得することができる。
【００２５】
また、図７に示すように、例えば３つの２次元コード２２Ａ，２２Ｂ，２２Ｃの全ての上部のみが汚れ３１に覆われて読み取れなくなったとしても、各２次元コード２２Ａ，２２Ｂ，２２Ｃはそれぞれ互いに９０度ずつ回転した状態で表示されているので、各２次元コード２２Ａ，２２Ｂ，２２Ｃの読み取り可能な部分を読み取り、この読み取ったコードを組み合わせて２次元コード２２を復元することによって、２次元コード２２（２２Ａ，２２Ｂ，２２Ｃ）の表す情報を取得することができる。
【００２６】
また、ＱＲコードに関しては、３つの位置検出パターン221,222,223の位置によってフォーマット情報やタイミングパターン及びデータ領域等の位置を判別してデータを読み取ることができる。そのため３つの位置検出パターン221,222,223の全てが検出不可能になるとデータを読み取ることができないが、３つの位置検出パターン221,222,223のうちの何れか２つを検出できれば、その２つの位置検出パターン221,222,223の位置からデータ領域等の位置を探し出して読み取ることができるため、データの読取りが可能になる。
【００２７】
また、上記のように２次元コードを２つ以上並べて表示しても、これらの表示面積において表せる情報量は、従来のバーコードを用いた場合に比べて多いことは言うまでもない。
【００２８】
尚、上記表示ラベル２０には３つの２次元コード２２Ａ，２２Ｂ，２２Ｃを並べて表示したがこれに限定されることはない。例えば、図８に示すように、互いに１８０度回転した状態にある２つの２次元コード２２Ａ，２２Ｃを表示した表示ラベル２０Ａを構成しても、３つの２次元コード２２Ａ，２２Ｂ，２２Ｃを表示した場合とほぼ同様の効果を得ることができる。
【００２９】
また、上記実施形態では、互いに９０度の倍数で回転位置が異なる２つ以上の２次元コードを表示したが、９０度以外の角度で回転位置が異なる２つ以上の２次元コードを表示しても良い。
【００３０】
次に、本発明の第２実施形態を説明する。
【００３１】
第２実施形態では、第１実施形態におけるＱＲコードに代えて、図９及び図１０に示すような周知のマトリックス型のデータコードＥＣＣ２００を用いた表示ラベル４０をタイヤのサイドウォールに設けた。
【００３２】
第２実施形態における表示ラベル４０は、裏面に接着剤が塗布された略長方形のラベル本体４１の表面に３つの２次元コード４２Ａ，４２Ｂ，４２Ｃが１列に並べて表示されている。これらの２次元コード４２Ａ，４２Ｂ，４２ＣはデータコードＥＣＣ２００であり、タイヤに関する製造年月日や製造場所及びタイヤの種類等の情報をコード化したものである。
【００３３】
また、ラベル本体４１に表示されている３つの２次元コード４２Ａ，４２Ｂ，４２Ｃは同一のものであり、２次元コードの中心に垂直な軸を回転軸として、記述の順に時計回りに９０度ずつ回転位置が異なるように表示されている。即ち、図９に向かって左側の２次元コード４１Ａを基準として、中央の２次元コード４２Ｂは時計回りに９０度回転されたものであり、右側の２次元コード４２Ｃは左側の２次元コード４２Ａを基準として時計回りに１８０度回転されたものである。
【００３４】
２次元コード４２（４２Ａ，４２Ｂ，４２Ｃ）は図１０に示すように、ほぼ正方形の領域内をマトリックス状に細分化したセルの集合体からなり、一方の隣り合う２辺には黒色セルのみを並べたＬ字型の位置検出パターンであるファインダパターン421が配置されている。また、他方の隣り合う２辺には黒色セルと白色セルとを交互に並べたＬ字型のタイミングパターン424が配置され、ファインダパターン421とタイミングパターン424の外周にはセル領域を容易に識別できるようにマージン余白422が設けられている。
【００３５】
また、ファインダパターン421とタイミングパターン424によって囲まれたデータ領域425を４つに仕切るように黒色セルのみを十字型に並べたアライメントパターン423が配置されている。このアライメントパターン423によって歪みの影響を少なくしている。
【００３６】
上記のようにデータコードＥＣＣ２００を用いた表示ラベル４０においても、第１実施形態と同様の効果が得られる。即ち、３つの２次元コード４２Ａ，４２Ｂ，４２Ｃが並べて配置されているので、１つ或いは２つの２次元コード４２が汚れに覆われて読取り不可能になっても、他の１つの２次元コードを読み取ることによって２次元コードが表す情報を取得することができる。
【００３７】
さらに、３つの２次元コード４２Ａ，４２Ｂ，４２Ｃのそれぞれの一部分が汚れに覆われた場合でも、各２次元コード４２Ａ，４２Ｂ，４２Ｃはそれぞれ互いに９０度ずつ回転した状態で表示されているので、各２次元コード４２Ａ，４２Ｂ，４２Ｃの汚れに覆われていない部分を読み取り、これらを組み合わせて２次元コードを復元することによって、２次元コード４２（４２Ａ，４２Ｂ，４２Ｃ）の表す情報を取得することができる。
【００３８】
尚、上記表示ラベル４０には３つの２次元コード４２Ａ，４２Ｂ，４２Ｃを並べて表示したが、これに限定されることはなく、同一の２次元コードを回転角度を変えて２つ以上表示することによりほぼ同様の効果を得ることができる。また、各２次元コードの回転角度は互いに異なる回転角度であれば良く、２次元コード表示物の形態に合わせて適宜設定することが好ましい。
【００３９】
次に、本発明の第３実施形態を説明する。
【００４０】
第３実施形態では、第１実施形他におけるＱＲコードに代えて、図１１及び図１２に示すような周知のマトリックス型のベリコードを用いた表示ラベル５０をタイヤのサイドウォールに設けた。
【００４１】
第３実施形態における表示ラベル５０は、裏面に接着剤が塗布された略長方形のラベル本体５１の表面に３つの２次元コード５２Ａ，５２Ｂ，５２Ｃが１列に並べて表示されている。これらの２次元コード５２Ａ，５２Ｂ，５２Ｃはベリコードであり、タイヤに関する製造年月日や製造場所及びタイヤの種類などの情報をコード化したものである。
【００４２】
また、ラベル本体５１に表示されている３つの２次元コード５２Ａ，５２Ｂ，５２Ｃは同一のものであり、２次元コードの中心に垂直な軸を回転軸として、記述の順に時計回りに９０度ずつ回転位置が異なるように表示されている。即ち、図１１に向かって左側の２次元コード５１Ａを基準として、中央の２次元コード５２Ｂは時計回りに９０度回転されたものであり、右側の２次元コード５２Ｃは左側の２次元コード５２Ａを基準として時計回りに１８０度回転されたものである。
【００４３】
２次元コード５２（５２Ａ，５２Ｂ，５２Ｃ）は、図１２に示すように、ほぼ正方形の領域内をマトリックス状に細分化したセルの集合体からなり、周囲の４辺には黒色セルを連続して□型に並べてなる検出パターン（切り出しパターン）521が配置されている。この検出パターン521で囲まれた領域がデータ領域523であり、検出パターン521の外周にはセル領域を容易に識別できるようにマージン余白522が設けられている。データ領域523に表示されているデータには誤り訂正データが含められており、これによりデータのデコード時における誤りの低減が図られる。
【００４４】
上記のようにベリコードを用いた表示ラベル５０においても、第１実施形態と同様の効果を得ることができる。即ち、同地の情報を表した３つの２次元コード５２Ａ，５２Ｂ，５２Ｃを並べて配置しているので、１つ或いは２つの２次元コード５２Ａ，５２Ｂ，５２Ｃが汚れに覆われるなどして読取り不可能になっても、他の汚れに覆われていない２次元コードを読み取ることによって２次元コードが表す情報を取得することができる。
【００４５】
さらに、３つの２次元コード５２Ａ，５２Ｂ，５２Ｃのそれぞれの一部分が汚れに覆われた場合には、各２次元コード５２Ａ，５２Ｂ，５２Ｃはそれｚ路得た外に９０度ずつ回転した状態で表示されているので、各２次元コード５２Ａ，５２Ｂ，５２Ｃの汚れに覆われていない部分を読取り、これらを組み合わせることにより、２次元コードの復元を行うことができるので、２次元コード５２（５２Ａ，５２Ｂ，５２Ｃ）の表す情報を取得することができる。
【００４６】
尚、上記表示ラベル５０には３つの２次元コード５２Ａ，５２Ｂ，５２Ｃを並べて表示したが、これに限定されることはなく、同一の２次元コードを回転角度を変えて２つ以上表示することにより、ほぼ同様の効果を得ることができる。また、各２次元コードの回転角度は互いに異なる回転角度であれば良く、２次元コード表示物の形態に合わせて適宜設定することが好ましい。
【００４７】
また、本実施形態では、２次元コード５２Ａ，５２Ｂ，５２Ｃを１列に並べて表示した表示ラベル５０を構成したが、１列に並べる必要はなく、表示されている２つ以上の２次元コードを周知の２次元コードリーダやスキャナ等によって容易に読み取れるように配置されていれば良い。この種の２次元コードリーダやスキャナとしては、例えば、特開２００１−３１８８８６号公報や特開２００３−１４１４４１号公報に開示されているものを使用することができる。
【００４８】
また、上記各実施形態では、２次元コード表示物である表示ラベル２０，４０，５０を用いて２次元コードをタイヤ１０に表示し、タイヤ１０を２次元コード表示物としたが、タイヤ１０自体に上記のような２つ以上の２次元コードを印刷や捺印等の手段によって直接表示しても良い。
【００４９】
また、上記各実施形態では、２次元コードをタイヤ１０に表示した例を挙げて説明したが、タイヤ以外のものに上記のように２次元コードを表示しても上記と同様の効果が得られることは言うまでもないことである。
【００５０】
また、上記各実施形態では、表示されている全ての２次元コードが互いに異なる回転角度の位置に配置されている場合を一例として説明したが、表示されている２つ以上の２次元コードのうちの少なくとも１つが他の２次元コードとは異なる回転角度の位置に設定され、前記他の２次元コードが同一の回転角度の位置に設定されていても、上記と同様の効果を得ることができる。
【００５１】
また、上記各実施形態ではマトリックス型の２次元コードを用いた例を説明したがスタック型の２次元コードを用いても同様の効果を得ることができる。
【００５２】
また、上記各実施形態で用いた２次元コードは一例であって、上記以外の２次元コードを用いても良いことは言うまでもない。
【図面の簡単な説明】
【００５３】
【図１】本発明の第１実施形態における２次元コード表示物であるタイヤを示す破断斜視図
【図２】本発明の第１実施形態における表示ラベルを示す平面図
【図３】本発明の第１実施形態における２次元コードを説明する図
【図４】本発明の第１実施形態における２次元コードの各領域を説明する図
【図５】本発明の第１実施形態における表示ラベルとそれに付着した汚れとの関係を説明する図
【図６】本発明の第１実施形態における表示ラベルとそれに付着した汚れとの関係を説明する図
【図７】本発明の第１実施形態における表示ラベルとそれに付着した汚れとの関係を説明する図
【図８】本発明の第１実施形態における表示ラベルの他の例を示す平面図
【図９】本発明の第２実施形態における表示ラベルを示す平面図
【図１０】本発明の第２実施形態における２次元コードを説明する図
【図１１】本発明の第３実施形態における表示ラベルを示す平面図
【図１２】本発明の第３実施形態における２次元コードを説明する図
【符号の説明】
【００５４】
１０…タイヤ、１１…カーカス、１２Ａ，１２Ｂ…ベルト、１３…アンダートレッド、１４…キャップトレッド、１５…リム、２０…表示ラベル、２１…ラベル本体、２２，２２Ａ，２２Ｂ，２２Ｃ…ＱＲコード（２次元コード）、221,222,223…位置検出パターン、224,225…タイミングパターン、226,228,230…フォーマット情報、227,229…バージョン情報、231…データ領域、３１…汚れ、４０…表示ラベル、４１…ラベル本体、４２，４２Ａ，４２Ｂ，４２Ｃ…コードデータＥＣＣ２００（２次元コード）、421…ファインダパターン、422…マージン余白、423…アライメントパターン、424…タイミングパターン、425…データ領域、５０…表示ラベル、５１…ラベル本体、５２，５２Ａ，５２Ｂ，５２Ｃ…ベリコード（２次元コード）、521…検出パターン、522…マージン余白、523…データ領域。
【図１】
2005164655.tif 000003
【図２】
2005164655.tif 000004
【図３】
2005164655.tif 000005
【図４】
2005164655.tif 000006
【図５】
2005164655.tif 000007
【図６】
2005164655.tif 000008
【図７】
2005164655.tif 000009
【図８】
2005164655.tif 000010
【図９】
2005164655.tif 000011
【図１０】
2005164655.tif 000012
【図１１】
2005164655.tif 000013
【図１２】
2005164655.tif 000014